(57)【要約】【課題】本発明は、照明装置と、それを搭載した自動車に関するもので、照明装置の小型化を図ることを目的とする。【解決手段】レーザー素子１３、１５の放熱を行う放熱体９は、その一面側が、レーザー素子１３、１５の固定面となり、他面側が放熱フィン１６の形成面となり、この放熱フィン形成面には、その一側方から他側方に向けて伸びた複数の放熱フィン１６を設けると共に、前記放熱フィン１６の他側方から、一側方に向けて送風する冷却ファン１７を設けた。この為、放熱体９を小型化しても、冷却ファン１７の送風により、レーザー素子１３、１５を十分に冷却可能となり、照明装置３を小型化することが出来る。【選択図】図４
2016046025.tif 000002
【特許請求の範囲】
【請求項１】
本体と、この本体に固定された放熱体と、この放熱体に対して熱伝導可能状態で固定されたレーザー素子と、このレーザー素子のレーザー光出射側に順次配置されると共に、前記本体、または放熱体に直接的、または間接的に固定された蛍光体、および配光レンズとを備え、前記放熱体は、その一面側が、少なくとも前記レーザー素子の固定面となり、他面側が放熱フィンの形成面となり、この放熱フィン形成面には、その一側方から他側方に向けて伸びた複数の放熱フィンを設けると共に、前記放熱フィンの他側方から、一側方に向けて送風する冷却ファンを設け、前記本体の配光レンズの一側方に、方向指示器と車幅灯の少なくとも一方を配置し、前記放熱フィン形成面の一側方で、前記方向指示器または車幅灯に対向する部分には、少なくとも前記配光レンズからの光路部分を洗浄するための洗浄液を収納する洗浄液タンクの実装空間を設けた照明装置。
【請求項２】
前記実装空間には、洗浄液タンクを配置した請求項１に記載の照明装置。
【請求項３】
前記放熱体の一面側には、第１、第２のレーザー素子を配置し、前記第１のレーザー素子のレーザー光出射側には、可動ミラー、第１の蛍光体、第１の配光レンズを配置し、前記第２のレーザー素子のレーザー光出射側には、固定ミラー、第２の蛍光体、第２の配光レンズを配置した請求項１または２に記載の照明装置。
【請求項４】
前記放熱体の一面側に、第１、第２のレーザー素子、可動ミラー、固定ミラー、第１、第２の配光レンズを熱伝導可能状態で固定した請求項３に記載の照明装置。
【請求項５】
前記求項１から４のいずれか一つに記載の照明装置を、本体ボディの前方側に配置した自動車。
【請求項６】
前記本体ボディの前方の左右に、前記照明装置を実装すると共に、各照明装置は、その配光レンズが、方向指示器、または車幅灯よりも内側になるように配置した請求項に記載の自動車。
【発明の詳細な説明】
【技術分野】
【０００１】
本発明は、例えば、自動車のヘッドライトとして活用される照明装置と、それを搭載した自動車に関するものである。
【背景技術】
【０００２】
レーザー素子を用いた照明装置は、高輝度であるので、これを自動車のヘッドライトとして活用することが提案されている。
【０００３】
具体的には、この照明装置は、本体と、この本体に固定された放熱体と、この放熱体に熱伝導可能状態で固定されたレーザー素子と、このレーザー素子のレーザー光出射側に順次配置されると共に、前記本体、または放熱体に固定された蛍光体、および配光レンズとを備えた構成となっている（これに類似する先行文献としては下記特許文献１が存在する）。
【０００４】
そして、この構成において、先ず、レーザー素子からのレーザー光を、蛍光体に照射して白色光を形成し、次に、この白色光を、配光レンズを介して自動車の前方に、照明光として照射するようにしている。
【先行技術文献】
【特許文献】
【０００５】
【特許文献１】特開２０１２−２０３９９５号公報
【発明の概要】
【発明が解決しようとする課題】
【０００６】
上記従来例で課題となるのは、放熱体が大きくなるので、照明装置自体が大型化してしまうということである。
【０００７】
つまり、上記レーザー素子は高輝度であるが、発熱も大きく、それを冷却するためには、放熱体も大きくなり、放熱体が大きいと、それにともなって、照明装置自体が大型化してしまうのである。
【０００８】
そこで、本発明は、照明装置の小型化を目的とするものである。
【課題を解決するための手段】
【０００９】
そして、この目的を達成するために本発明は、本体と、この本体に固定された放熱体と、この放熱体に対して熱伝導可能状態で固定されたレーザー素子と、このレーザー素子のレーザー光出射側に順次配置されると共に、前記本体、または放熱体に直接的、または間接的に固定された蛍光体、および配光レンズとを備え、前記放熱体は、その一面側が、少なくとも前記レーザー素子の固定面となり、他面側が放熱フィンの形成面となり、この放熱フィン形成面には、その一側方から他側方に向けて伸びた複数の放熱フィンを設けると共に、前記放熱フィンの他側方から、一側方に向けて送風する冷却ファンを設け、前記本体の配光レンズの一側方に、方向指示器と車幅灯の少なくとも一方を配置し、前記放熱フィン形成面の一側方で、前記方向指示器または車幅灯に対向する部分には、少なくとも前記配光レンズからの光路部分を洗浄するための洗浄液を収納する洗浄液タンクの実装空間を設け、これにより所期の目的を達成するものである。
【発明の効果】
【００１０】
以上のように本発明では、レーザー素子の放熱を行う放熱体は、その一面側が、前記レーザー素子の固定面となり、他面側が放熱フィンの形成面となり、この放熱フィン形成面には、その一側方から他側方に向けて伸びた複数の放熱フィンを設けると共に、前記放熱フィンの他側方から、一側方に向けて送風する冷却ファンを設けた。
【００１１】
このため、放熱体を小型化しても、前記冷却ファンの送風により、レーザー素子を十分に冷却することが出来るようになり、この結果として、照明装置を小型化することが出来る。
【００１２】
また、本発明では、冷却ファンの送風により放熱体を小さくした分、洗浄液タンクの実装空間を設けることが出来るようになったが、この実装空間には、放熱フィンを通過後の温風が供給されるので、洗浄液タンク内の洗浄液の温度を高め、洗浄効果を高めることも出来るようになる。
【図面の簡単な説明】
【００１３】
【図１】本発明の実施形態１の照明装置を搭載した自動車を示す正面図
【図２】同、照明装置部分を透視した自動車を示す正面図
【図３】同、照明装置の平面図
【図４】図３のＡ−Ａ線の断面図
【図５】図３のＢ−Ｂ線の断面図
【図６】図３のＣ−Ｃ線の断面図
【図７】同、照明装置の冷却風の流れを示す図
【発明を実施するための形態】
【００１４】
以下、本発明の一実施形態にかかる照明装置を自動車に搭載した例を、添付図面を用いて説明する。
【００１５】
（実施の形態１）
図１において、自動車１において、その本体ボディ２の前方左右両側には、ヘッドライトと言われる照明装置３が配置されている。
【００１６】
また、自動車１の車内４前部には、自動車１前方の運転環境を確認するための検知部の一例としてカメラ５が配置されている。
【００１７】
つまり、本実施形態では、照明装置３によって自動車１前方の照明エリアの照明を行うようにしているが、カメラ５で自動車１前方の運転環境を検出し、照明を制御（遮断、または減光状態）するものである。
【００１８】
前記照明装置３の構成を理解しやすいように、図２では照明装置３部分を透視した状態で示しているが、左右の照明装置３はそれぞれ、照明装置３の本体６に対して、ロービーム用の配光レンズ７、ハイビーム用の配光レンズ８、放熱体９、方向指示器１０、洗浄液タンク１１の実装空間１２が一体化されている。
【００１９】
以下、各部の詳細な構成について説明する。
【００２０】
先ず、放熱体９は、図３、図４に示すように、上面（一面側）に、ロービーム用のレーザー素子１３、可動ミラー１４、ハイビーム用のレーザー素子１５が実装された平面状の実装面となっている。
【００２１】
また、この放熱体９の下面（他面側）には、図５、図６に示すように、下方に伸びた複
数の放熱フィン１６が設けられている。
【００２２】
なお、各放熱フィンは、自動車１の内側から外側、つまり可動ミラー１４側からハイビーム用のレーザー素子１５側へと伸びた形状となっている。
【００２３】
そして、この内側、つまり可動ミラー１４側に、図３、図４に示すように、冷却ファン１７が設けられている。
【００２４】
次に、ロービーム用のレーザー素子１３からの光路について説明する。
【００２５】
ロービーム用のレーザー素子１３から出射された波長が例えば４０５ｎｍ青紫色のレーザー光は、可動ミラー１４によって左右、上下に走査され、次に、蛍光体１８に照射され、ここで白色光を発生させ、その後、ロービーム用の配光レンズ７を介して自動車１前方のロービーム照明エリアに照射される。
【００２６】
なお、上述したカメラ５で自動車１前方に、例えば対向車を検出（運転環境を検出）した場合には、従来例でも行われているが、その対向車部分には、照明光を照射しないようにする。
【００２７】
次に、ハイビーム用のレーザー素子１５からの光路について説明する。
【００２８】
ハイビーム用のレーザー素子１５から出射された波長が例えば４０５ｎｍ青紫色のレーザー光は、図５に示す固定ミラー１９によって前方に反射され、次に、蛍光体２０に照射され、ここで白色光を発生させ、その後、ハイビーム用の配光レンズ８を介して自動車１前方のハイビーム照明エリアに照射される。
【００２９】
以上のように、本実施形態では、ロービーム用のレーザー素子１３と、ハイビーム用のレーザー素子１５によって自動車１前方の照明を行う。
【００３０】
このような照明時には、ロービーム用のレーザー素子１３、可動ミラー１４、ハイビーム用のレーザー素子１５は温度上昇するので、これらを放熱体９の上面に熱伝導可能状態で固定し、また、冷却ファン１７からの冷却風を放熱フィン１６に送付することによって、冷却する。
【００３１】
つまり、冷却ファン１７からの冷却風は、図４、図７に示すように、各放熱フィンは、自動車１の内側から外側、つまり可動ミラー１４側からハイビーム用のレーザー素子１５側へと伸びた放熱フィン１６間を進み、ここで放熱フィン１６から放熱させることで、上記ロービーム用のレーザー素子１３、可動ミラー１４、ハイビーム用のレーザー素子１５の温度上昇を抑制する。尚、冷却風の流れる方向を矢印で示している。
【００３２】
また、放熱フィン１６からの放熱によって温度上昇した冷却風は、次に、図７のごとく、二分され、一方は、図４のごとく、方向指示器１０部分に供給され、この方向指示器１０部分の冷却も行う。
【００３３】
つまり、放熱フィン１６からの放熱によって温度上昇はしているが、それでも、方向指示器１０が、例えば、ＬＥＤと言われる半導体で構成されている場合には、これも高温化するので、上記放熱フィン１６からの冷却風でも、これを十分に冷却することが出来るのである。
【００３４】
また、放熱フィン１６からの放熱によって温度上昇した冷却風の内、他方は、図７のご
とく、洗浄液タンク１１の実装空間１２へと供給され、この実装空間１２に収納された洗浄液タンク１１内の洗浄水を温度上昇させる。
【００３５】
例えば、この洗浄液タンク１１内の洗浄水は、車内４において、運転者の操作により、図１に示す、ロービーム用の配光レンズ７、ハイビーム用の配光レンズ８前方部分に噴射させられるので、それら前方の光路をクリアーに洗浄する効果が高まる。
【００３６】
具体的には、これらのロービーム用の配光レンズ７、ハイビーム用の配光レンズ８前方には、図示していないが前面カバーが配置されているので、この前面カバーに温水を噴射することで、光路をクリアーにするものである。
【００３７】
以上のように、本実施形態では、レーザー素子１３、１５の放熱を行う放熱体９は、その一面側が、前記レーザー素子１３、１５の固定面となり、他面側が放熱フィン１６の形成面となり、この放熱フィン形成面には、その一側方から他側方に向けて伸びた複数の放熱フィン１６を設けると共に、前記放熱フィン１６の他側方から、一側方に向けて送風する冷却ファン１７を設けた。
【００３８】
このため、放熱体９を小型化しても、前記冷却ファン１７の送風により、レーザー素子１３、１５を十分に冷却することが出来るようになり、この結果として、照明装置３を小型化することが出来る。
【００３９】
また、冷却ファン１７の送風により放熱体９を小さくした分、洗浄液タンク１１の実装空間１２を設けることが出来るようになったが、この実装空間１２には、放熱フィン１６を通過後の温風が供給されるので、洗浄液タンク１１内の洗浄液の温度を高め、洗浄効果を高めることも出来るようになる。
【００４０】
なお、本実施形態では、図１のように、車幅灯２１は、照明装置３とは分離した構成としたが、この車幅灯２１も方向指示器１０と共に放熱体９に熱伝導状態で固定することで、これも方向指示器１０と共に、冷却風で冷却することができる。
【００４１】
また、本実施形態では、方向指示器１０は、ＬＥＤ基板２２によって構成しているので、上記冷却風をＬＥＤ基板２２側に導くことが出来るようになっている。
【００４２】
また、上記実施形態では、蛍光体１８、２０、及び配光レンズ７、８は、本体６に直接的、又は間接的に固定したが、蛍光体１８、２０や配光レンズ７、８も温度上昇するので、これらも放熱体９に熱伝導状態で固定すると、冷却風で冷却することができる。
【産業上の利用可能性】
【００４３】
以上のように本発明は、レーザー素子の放熱を行う放熱体は、その一面側が、前記レーザー素子の固定面となり、他面側が放熱フィンの形成面となり、この放熱フィン形成面には、その一側方から他側方に向けて伸びた複数の放熱フィンを設けると共に、前記放熱フィンの他側方から、一側方に向けて送風する冷却ファンを設けた。
【００４４】
このため、放熱体を小型化しても、前記冷却ファンの送風により、レーザー素子を十分に冷却することが出来るようになり、この結果として、照明装置を小型化することが出来る。
【００４５】
また、本発明では、冷却ファンの送風により放熱体を小さくした分、洗浄液タンクの実装空間を設けることが出来るようになったが、この実装空間には、放熱フィンを通過後の温風が供給されるので、洗浄液タンク内の洗浄液の温度を高め、洗浄効果を高めることも
出来るようになる。
【００４６】
したがって、照明装置と、それを搭載した自動車としての活用が期待される。
【符号の説明】
【００４７】
１  自動車
２  本体ボディ
３  照明装置
４  車内
５  カメラ
６  本体
７  配光レンズ
８  配光レンズ
９  放熱体
１０  方向指示器
１１  洗浄液タンク
１２  実装空間
１３  レーザー素子
１４  可動ミラー
１５  レーザー素子
１６  放熱フィン
１７  冷却ファン
１８  蛍光体
１９  固定ミラー
２０  蛍光体
２１  車幅灯
２２  ＬＥＤ基板
【図１】
2016046025.tif 000003
【図２】
2016046025.tif 000004
【図３】
2016046025.tif 000005
【図４】
2016046025.tif 000006
【図５】
2016046025.tif 000007
【図６】
2016046025.tif 000008
【図７】
2016046025.tif 000009